(57)【要約】【課題】  携帯に便利で簡単に使用でき、ワンタッチで旗を収容でき、風などでもはためかず、表示している内容がわかり易い携帯用旗を提供する【解決手段】  収納部１と支持部２からなる伸縮自在な旗竿Ａと、前記収納部１に回転可能に収納される旗Ｂとからなり、前記収納部１には前記旗Ｂの巻き取り機構１０と前記旗Ｂを任意の引き出し位置で止めることが可能な前記ストッパ機構２０が備えられ、前記旗Ｂは、前記ストッパ機構２０が解除されると前記収納部１にワンタッチで収納される構成とした。【選択図】  図１
2005128464.tif 000002
【特許請求の範囲】
【請求項１】
収納部と支持部からなる伸縮自在な旗竿と、前記収納部に回転可能に収納される旗とからなり、前記収納部には前記旗の巻き取り機構と前記旗を任意の引き出し位置で止めることが可能な前記ストッパ機構が備えられ、
前記旗は、前記ストッパ機構が解除されると前記収納部にワンタッチで収納されることを特徴とする携帯用旗。
【請求項２】
収納部と支持部からなる伸縮自在な旗竿と、前記収納部に回転可能に収納される旗とからなり、前記収納部には前記旗の巻き取り機構とストッパ機構が備えられ、前記巻き取り機構は、前記収納部の上端部に固定されたキャップ体と、前記キャップ体に回転可能に装着された回転軸受けと、前記回転軸受けに一端が固定され他端が前記キャップ体に固定され回転軸受けの回りに複数回巻回された戻しばねを有し、
前記旗は前記ストッパ機構が解除されると前記巻き取り機構により前記収納部にワンタッチで収納されることを特徴とする携帯用旗。
【請求項３】
収納部と支持部からなる伸縮自在な旗竿と、前記収納部に回転可能に収納される旗とからなり、前記収納部には前記旗の巻き取り機構と、前記旗を任意の引き出し位置で止めることが可能なストッパ機構が備えられ、
前記巻き取り機構は、前記収納部の上端部に固定されたキャップ体と、前記キャップ体に回転可能に装着された回転軸受けと、前記回転軸受けに一端が固定され他端が前記キャップ体に固定され回転軸受けの回りに複数回巻回された戻しばねを有し、
前記ストッパ機構は、前記キャップ体に形成された空間部を貫通するツマミと、前記ツマミの先端部に取り付けられ前記ケースの内側に位置するストッパ片と、前記ツマミを附勢する附勢ばねを有し、
前記旗は前記ストッパ機構が解除されると前記巻き取り機構により前記収納部にワンタッチで収納されることを特徴とする携帯用旗。
【請求項４】
収納部と支持部からなる伸縮自在な旗竿と、前記収納部に回転可能に収納される旗とからなり、前記収納部には前記旗の巻き取り機構と、前記旗を任意の引き出し位置で止めることが可能なストッパ機構が備えられ、
前記収納部には、円筒の一部に旗が出入りする出入口が形成され、外周の一部に少なくとも一か所に前記外筒の嵌合凹部に摺動可能な嵌合突起が設けられ、前記支持部には、前記収納部の嵌合突起と摺動可能に嵌合する嵌合凹部が設けられ、
前記旗は前記ストッパ機構が解除されると前記巻き取り機構により前記収納部にワンタッチで収納されることを特徴とする携帯用旗。
【請求項５】
収納部と支持部からなる伸縮自在な旗竿と、前記収納部に回転可能に収納される旗とからなり、前記収納部には前記旗の巻き取り機構と、前記旗を任意の引き出し位置で止めることが可能なストッパ機構が備えられ、
前記巻き取り機構は、前記収納部の上端部に固定されたキャップ体と、前記キャップ体に回転可能に装着された回転軸受けと、前記回転軸受けに一端が固定され他端が前記キャップ体に固定され回転軸受けの回りに複数回巻回された戻しばねを有し、
前記ストッパ機構は、前記キャップ体に形成された空間部を貫通するツマミと、前記ツマミの先端部に取り付けられ前記ケースの内側に位置するストッパ片と、前記ツマミを附勢する附勢ばねを有し、
前記収納部には、円筒の一部に旗が出入りする出入口が形成され、外周の一部に少なくとも一か所に前記外筒の嵌合凹部に摺動可能な嵌合突起が設けられ、
前記支持部には、前記収納部の嵌合突起と摺動可能に嵌合する嵌合凹部が設けられ、
前記旗は前記ストッパ機構が解除されると前記巻き取り機構により前記収納部にワンタッチで収納されることを特徴とする携帯用旗。
【発明の詳細な説明】
【技術分野】
【０００１】  本発明は、人を引率する場合や混雑した場合に目印となる携帯用旗に関する。
【背景技術】
【０００２】  従来、空港ターミナルビルなどで、搭乗手続きを行っており、出発時間までに所定のゲートに来ない乗客があった場合などは、係員がハンドマイクなどを使用してその乗客を探す場合があった。しかしながら、混雑したターミナルビルでは、ハンドマイクで呼びかけても、周囲の騒音でかき消され十分に目的を果たすことができないという問題があった。【０００３】  そこで、この問題を解決するため、観光などで複数の人を引率する場合に使用する携帯式の旗を使用することが考えられ、この用途に適するものとして、特開平３−２５０１６６号公報に示すような旗収容式ミゾ付き旗竿があった。この旗収容式ミゾ付き旗竿は、伸縮自在で回転可能なミゾ付きの旗竿と、この旗竿に収容可能な旗とを備え、使用する場合には旗竿の先端部を引き出して旗を広げ、使用しない場合には先端部を回して旗竿に旗を収容するようにしたものである。
【特許文献１】特開平３−２５０１６６号公報
【発明の開示】
【発明が解決しようとする課題】
【０００４】  しかしながら、上述した特許文献１の旗収容式ミゾ付き旗竿は、手軽で簡単に使用することができるが、収容する場合はいちいち手で先端部を回して旗を旗竿に収納しなくてはならないという不都合があった。
また、このような旗は巻き取り易くするため、柔らかい布製の旗を使用するので、風に吹かれた場合にははためき易く、旗に文字などを表示していた場合は内容がわからなくなるという問題も発生していた。【０００５】  本発明は、上述した従来の問題に鑑みなされたもので、携帯に便利で簡単に使用でき、ワンタッチで旗を収容でき、風などでもはためかず、表示している内容がわかり易い携帯用旗を提供するものである。
【課題を解決するための手段】
【０００６】  本発明は、上記課題を解決するため、収納部と支持部からなる伸縮自在な旗竿と、前記収納部に回転可能に収納される旗とからなり、前記収納部には前記旗の巻き取り機構と前記旗を任意の引き出し位置で止めることが可能な前記ストッパ機構が備えられ、前記旗は、前記ストッパ機構が解除されると前記収納部にワンタッチで収納されることを特徴とするものである。【０００７】  また、本発明は、収納部と支持部からなる伸縮自在な旗竿と、前記収納部に回転可能に収納される旗とからなり、前記収納部には前記旗の巻き取り機構とストッパ機構が備えられ、前記巻き取り機構は、前記収納部の上端部に固定されたキャップ体と、前記キャップ体に回転可能に装着された回転軸受けと、前記回転軸受けに一端が固定され他端が前記キャップ体に固定され回転軸受けの回りに複数回巻回された戻しばねを有し、前記旗は前記ストッパ機構が解除されると前記巻き取り機構により前記収納部にワンタッチで収納されることを特徴としている。【０００８】  また、本発明は、収納部と支持部からなる伸縮自在な旗竿と、前記収納部に回転可能に収納される旗とからなり、前記収納部には前記旗の巻き取り機構と、前記旗を任意の引き出し位置で止めることが可能なストッパ機構が備えられ、前記巻き取り機構は、前記収納部の上端部に固定されたキャップ体と、前記キャップ体に回転可能に装着された回転軸受けと、前記回転軸受けに一端が固定され他端が前記キャップ体に固定され回転軸受けの回りに複数回巻回された戻しばねを有し、前記ストッパ機構は、前記キャップ体に形成された空間部を貫通するツマミと、前記ツマミの先端部に取り付けられ前記ケースの内側に位置するストッパ片と、前記ツマミを附勢する附勢ばねを有し、前記旗は前記ストッパ機構が解除されると前記巻き取り機構により前記収納部にワンタッチで収納されることを特徴としている。【０００９】  また、本発明は、収納部と支持部からなる伸縮自在な旗竿と、前記収納部に回転可能に収納される旗とからなり、前記収納部には前記旗の巻き取り機構と、前記旗を任意の引き出し位置で止めることが可能なストッパ機構が備えられ、前記収納部には、円筒の一部に旗が出入りする出入口が形成され、外周の一部に少なくとも一か所に前記外筒の嵌合凹部に摺動可能な嵌合突起が設けられ、前記支持部には、前記収納部の嵌合突起と摺動可能に嵌合する嵌合凹部が設けられ、前記旗は前記ストッパ機構が解除されると前記巻き取り機構により前記収納部にワンタッチで収納されることを特徴としている。【００１０】  さらに、本発明は、収納部と支持部からなる伸縮自在な旗竿と、前記収納部に回転可能に収納される旗とからなり、前記収納部には前記旗の巻き取り機構と、前記旗を任意の引き出し位置で止めることが可能なストッパ機構が備えられ、前記巻き取り機構は、前記収納部の上端部に固定されたキャップ体と、前記キャップ体に回転可能に装着された回転軸受けと、前記回転軸受けに一端が固定され他端が前記キャップ体に固定され回転軸受けの回りに複数回巻回された戻しばねを有し、前記ストッパ機構は、前記キャップ体に形成された空間部を貫通するツマミと、前記ツマミの先端部に取り付けられ前記ケースの内側��位置するストッパ片と、前記ツマミを附勢する附勢ばねを有し、前記収納部には、円筒の一部に旗が出入りする出入口が形成され、外周の一部に少なくとも一か所に前記外筒の嵌合凹部に摺動可能な嵌合突起が設けられ、前記支持部には、前記収納部の嵌合突起と摺動可能に嵌合する嵌合凹部が設けられ、前記旗は前記ストッパ機構が解除されると前記巻き取り機構により前記収納部にワンタッチで収納されることを特徴とするものである。
【発明の効果】
【００１１】  上述のように構成された携帯用旗は、風が吹いてもはためくことはないので、旗に表示された内容がわかり易くなり、例えば、空港ターミナルや混雑した場所で探す人の名前を書いた場合にも探し易くなる。
また、旗を収納する場合には、ツマミ押してストッパー機構を解除してやれば、巻き取り機構によりワンタッチで収納部に巻き取ることができ、しかも旗を巻き取った収納部をさらに支持部に収納することができるので、非常にコンパクトになり、携帯に便利な携帯用旗にすることが可能となる。
【発明を実施するための最良の形態】
【００１２】  本発明に係る携帯用旗を実施するための最良の形態を図を参照して説明する。
図１は本発明の携帯用旗を示す分解斜視図、図２は図１の携帯用旗を広げた状態を示す斜視図、図３は図１の携帯用旗の旗を収納した状態を示す斜視図、図４は図１の携帯用旗の巻き取り機構を示す一部破断の拡大斜視図、図５は図４のＸ−Ｘ方向の水平断面図である。【００１３】  本発明に係る携帯用旗は、図１乃至図４に示すように、収納部１と支持部２からなる伸縮自在な旗竿Ａと、前記収納部１に回転可能に収納される旗Ｂとからなり、前記収納部１には前記旗の巻き取り機構１０とストッパ機構２０が備えられ、前記巻き取り機構１０は、前記収納部１の上端部に固定されたキャップ体１１と、前記キャップ体１１に回転可能に軸支された回転軸受け１２と、前記回転軸受け１２に一端が固定され他端が前記キャップ体１１に固定され回転軸受け１２の回りに複数回巻回された戻しばね１３を有し、前記ストッパ機構２０は、前記キャップ体１１を貫通するツマミ２１と、前記ツマミ２１の先端部に取り付けられキャップ体１１の内側に位置するストッパ片２２と、前記ツマミ２１を附勢する附勢ばね２３を有している。【００１４】  収納部１には、円筒の一部に旗本体３が出入りする出入口１ａが形成され、外周の一部に少なくとも一か所に前記外筒の嵌合凹部に摺動可能な嵌合突起１ｂが設けられている。また、この収納部１の底面が形成され、底面の中心には旗Ｂの回転軸６の下側を軸支する軸孔１ｃが形成されている。さらに、収納部１の底面の外周は円筒の直径より大きい鍔部１ｄが形成され、収納部１を支持部２に挿入組み立てた場合に上方に抜け出ないようになっている。【００１５】  収納部１を挿入して収納する前記支持部２には、収納部１を下側から挿入して上に抜け出ないように、上端部内方に向かって肉厚部２ａが形成されている。また、収納部１の嵌合突起１ｂと摺動可能に嵌合する嵌合凹部２ｂが設けられており、収納部１を支持部２に収納する時のガイドとなっている。【００１６】  また、収納部１に収納される旗Ｂは、旗地となる旗本体３を上下を可撓性を持つように薄いステンレスなどの金属でガイドしたものである。これは、布または合成樹脂性の旗本体３だけでは、柔らか過ぎて風などであおられて、はためいてしまうので不都合である。そのため上下に上側ガイド４と下側ガイド５を入れて補強している。さらに、上側ガイド４と下側ガイド５の先端を折り曲げて係止部４ａ，５ａを形成してある。そして、旗本体３の基端部は、回転軸６に固定され巻き取られようになっている。【００１７】  このように構成された携帯用旗は、旗を広げる場合には図２に示すように、旗本体３の右端部３ａを収納部１から引き出すと、前記ストッパ機構２０により任意の位置で止めることができる。また、旗を収納する場合には、図３に示すように、前記ストッパ機構２０をツマミ２１で解除すれば、巻き取り機構１０で自動的に巻き取られるものである。そして、この巻き取りの場合には、旗本体３が完全に収納部１に巻き込まれないように、旗本体３の上側ガイド４と下側ガイド５には係止部４ａ、５ａを形成してある。【００１８】  この携帯用旗の巻き取り機構１０は、図４または図５に示すように、収納部１の上端部に装着されるキャップ体１１に組み込まれている。即ち、図３に示すように、キャップ体１１中心には旗Ｂの回転軸６を軸支するための回転軸受け１２が回転可能に取り付けられており、この回転軸受け１２には戻しばね１３の一端が固定されている。また、戻しばね１３の他端はキャップ体１１の内周に固定されている。また、回転軸受け１２の回転軸６の受け面は、回転軸６の先端面形状に合わせてＤカットが施されている。【００１９】  このように構成された巻き取り機構１０は、図５において、旗本体３が矢印Ｃ方向に引き出された場合には、戻しばね１３に締めつけ方向の荷重が作用するので、ぜんまいばねの作用で戻り力が働き、ストッパ機構２０をツマミ２１で解除すれば、戻しばね１３の作用で旗本体３を自動的に巻き取るものである。【００２０】  この巻き取り機構１０をコントロールするストッパ機構２０は、図５に示すように、前記キャップ体１１の壁に形成された空間部１１ａを貫通するツマミ２１と、前記ツマミ２１の先端部に取り付けられ前記ケースの内側に位置するストッパ片２２と、ツマミ２１を附勢するばね附勢２３を備えている。このツマミ２１はフリー状態では、附勢ばね２３により時計回り方向に附勢されており、そのためツマミ２１と一体化されたストッパ片２２は、その先端部２２ａが旗本体３の上側ガイド４を強く押しつけることになるので、旗本体３の動きが規制され、所定の位置で止まることになる。【００２１】  一方、このツマミ２１を指で反時計方向に動かすと、ストッパ片２２の先端部２２ａが旗本体３の上側ガイド４を離れるので、旗本体３の動きが解除され旗本体３は戻しばね１３の作用で巻き取られる。また、このツマミ２１は、キャップ体１１から浮いた状態で装着されており、この状態ではストッパ片２２の後端部２２ｂは、戻しばね１３に接触していない。ところが、ツマミ２１を押しつけた状態では、ストッパ片２２の後端部２２ｂが戻しばね１３に接触するようになるので、旗本体３を巻き取る場合にツマミ２１を押しつけることで、旗本体３を巻き取りスピードを調整することが可能となる。【００２２】  上述のように構成された携帯用旗は、風が吹いてもはためくことはないので、旗に表示された内容がわかり易くなり、例えば、空港ターミナルや混雑した場所で探す人の名前を書いた場合にも探し易くなる。
また、旗Ｂを収納する場合には、ツマミ２１を押してストッパー機構２０を解除してやれば、巻き取り機構１０によりワンタッチで収納部１に巻き取ることができ、しかも旗Ｂを巻き取った収納部１をさらに支持部２に収納することができるので、非常にコンパクトになり、携帯に便利な携帯用旗にすることができる。【００２３】  なお、本発明は上述した実施の形態に限定されるものではなく、請求の範囲内で様々な態様が可能なことは勿論である。
例えば、上述した実施の形態では収納部１と支持部２を２段で構成したが、３段、４段などのように、多段に構成できることは勿論である。
【図面の簡単な説明】
【００２４】
【図１】  本発明の携帯用旗を示す分解斜視図である。
【図２】  図１の携帯用旗を広げた状態を示す斜視図である。
【図３】  図１の携帯用旗の旗を収納した状態を示す斜視図である。
【図４】  図１の携帯用旗の巻き取り機構を示す一部破断の拡大斜視図である。
【図５】  図４のＸ−Ｘ方向の水平断面図である。
【符号の説明】
【００２５】  Ａ      旗竿
Ｂ      旗
１      収納部
１ａ    出入口
１ｂ    嵌合突起
１ｃ    軸孔
１ｄ    鍔部
２      支持部
２ａ    肉厚部
２ｂ    嵌合凹部
３      旗本体
４      上側ガイド
４ａ    係止部
５      下側ガイド
５ａ    係止部
６      回転軸
１０      巻き取り機構
１１      キャップ体
１１ａ    空間部
１１ｂ    突起孔
１２      回転軸受け
１３      戻しばね
２０      ストッパ機構
２１      ツマミ
２２      ストッパ片
２２ａ    先端部
２２ｂ    後端部
２３      附勢ばね
【図１】
2005128464.tif 000003
【図２】
2005128464.tif 000004
【図３】
2005128464.tif 000005
【図４】
2005128464.tif 000006
【図５】
2005128464.tif 000007